(57)【要約】【課題】  従来技術は、充填用開口部は、大きく開くことができないため、内容物を充填するにも排出するにも狭く、ガゼット袋の優れた部分である開口度を広く使用できないという問題点がある。【解決手段】  正面シート１、裏面シート２からなる平袋の両側部に折り込み部分のあるガゼットシート３を挿入して形成するサイドガゼット袋において、正面シート１、裏面シート２の両側部に折り込み挿入したガゼットシート３部分を外して、正面シート１、裏面シート２に当シート５を熱シールし、さらに該当シート５の部分は厚さレベルが高くなった状態で正面シート１、裏面シート２、ガゼットシート３にわたり、この当シート５上を介してジッパー６が熱シールされ、さらに正面シート１、裏面シート２とガゼットシート３を各々周縁で熱シール８したジッパー付サイドガゼット袋。【選択図】図２
2012051596.tif 000002
【特許請求の範囲】
【請求項１】
正面シート、裏面シートからなる平袋の両側部に折り込み部分のあるガゼットシートを挿入して形成するサイドガゼット袋において、正面シート、裏面シートの両側部に折り込み挿入したガゼットシート部分を外して、正面シート、裏面シートに当シートを熱シールし、さらに該当シートの部分は厚さレベルが高くなった状態で正面シート、裏面シート、ガゼットシートにわたり、この当シート上を介してジッパーが熱シールされ、さらに正面シート、裏面シートとガゼットシートを各々周縁で熱シールしたことを特徴とするジッパー付サイドガゼット袋。
【請求項２】
前記当シートの両端部に位置するジッパーに対して、厚さ方向に中程まで切れ目を入れたことを特徴とする請求項１に記載のジッパー付サイドガゼット袋。
【発明の詳細な説明】
【技術分野】
【０００１】
本発明は両サイドをＶ字状に折り込んだ構造を有するサイドガゼット袋において、上部の両サイドガゼット部を含めて大きく開口できるように、上端と下端の一方を熱シール等で密封することにより、他方が充填・排出用開口部となり、しかも両サイドガゼット部を含めて開口部が開閉できるようにジッパーを有する内容物を充填した状態で自立できるようにしたジッパー付サイドガゼット袋に関するものである。
【背景技術】
【０００２】
従来、上端と下端の一方を熱シールすることにより他方が充填用開口部となり、上端部の内側寄りの位置に幅方向の全長にわたるジッパーを設けて袋本体を形成し、この袋本体の形成後に、袋本体の上端側で両側縁の位置に、上端側の横幅が袋本体の横幅よりも狭くなるように切り欠き部を設け、この両側切り欠き部の周縁を熱シールしたジッパー付き包装用袋（例えば、特許文献１を参照）が存在している。
【先行技術文献】
【特許文献】
【０００３】
【特許文献１】特開２００９−１８８１９号公報（特許請求の範囲の欄、発明の詳細な説明の欄、及び図１〜図３を参照）
【発明の概要】
【発明が解決しようとする課題】
【０００４】
前記従来のジッパー付き包装袋は、上端充填タイプの包装用袋は、扁平な筒状で、重ね合わせた正面シートと背面シートの下端を熱シールすることにより上端を充填用口部とした扁平な袋本体を形成し、この袋本体の上端側内面で前記充填用口部よりも内側寄りの位置に幅方向の全長にわたるジッパーを設け、上端の充填用口部とジッパーの間に切断用のスペースを設けた構造を有し、上端の充填用口部から内容物を充填した後、ジッパーを閉じて上端である充填用口部の全長を熱シールすることにより、内容物を密封して流通に供するものである。
しかしながら、前記従来技術は、ジッパーをガゼット部には取り付けず、結果的にガゼット部をはずしてジッパーを取り付けて、ガゼット部は熱シールして密封し平坦な面でジッパーで密封できるようにしたものである。従って、充填用開口部は、大きく開くことができないという問題点がある。
このように小さい開口部であるので、内容物を充填するにも排出するにも狭く、ガゼット袋の優れた部分である開口度を広く使用することができないという問題点がある。
また、ジッパーで密封する場合、両サイドのガゼット部は内側に折り曲げて行うことになるため、ガゼット部の折り曲げ面２枚があるために、折り曲げたガゼット部を除く内側中間部の表面・裏面のシートは、それに比べ２枚分薄くなり、ジッパーを閉めようとすると、段部ができているので密封できない、特に内側に折り曲げたガゼット部の内側端部付近は、ジッパーは閉まらないので、内容物が液体・粘体・粉体等の場合は漏れて出てしまうという問題点がある。
【課題を解決するための手段】
【０００５】
上記の目的を達成することができる本発明の第１発明は、請求項１に記載された通りのジッパー付サイドガゼット袋であり、次のようなものである。
正面シート、裏面シートからなる平袋の両側部に折り込み部分のあるガゼットシートを挿入して形成するサイドガゼット袋において、正面シート、裏面シートの両側部に折り込み挿入したガゼットシート部分を外して、正面シート、裏面シートに当シートを熱シールし、さらに該当シートの部分は厚さレベルが高くなった状態で正面シート、裏面シート、ガゼットシートにわたり、この当シート上を介してジッパーが熱シールされ、さらに正面シート、裏面シートとガゼットシートを各々周縁で熱シールする構成である。
【０００６】
上記の目的を達成することができる本発明の第２発明は、請求項２に記載された通りのジッパー付サイドガゼット袋であり、次のようなものである。
請求項１に記載の発明に加えて、前記当シートの両端部に位置するジッパーに対して、厚さ方向に、中程まで切れ目を入れる構成である。
【発明の効果】
【０００７】
本発明に係るジッパー付サイドガゼット袋は、上記説明のような構成を有するので、以下に記載する効果を奏する。
（１）内容物充填・排出用開口部が最大限大きくでき、充填・排出する上で、スプーン・柄杓等に内容物を収容して直接袋内に出し入れできるので、極めて有効である。
（２）ガゼット部も含め、段差が略皆無なので、ジッパーで確実に密封することができる。
（３）請求項２における密封する際、内側に折り曲げたガゼット部の最内端と略同一位置のジッパーに厚さ方向略中間まで切れ目を付加することで、ジッパーを押し込みながら密封する際、この切れ目がガイドとなり、スムーズにぴったりと密封することができる。
【図面の簡単な説明】
【０００８】
【図１】本発明のジッパー付サイドガゼット袋における、正面シートと裏面シートの両側にガゼットシートを折り込んで、上端部にジッパーを正面・裏面・ガゼットシートに貼着した状態を示す概略斜視図である。
【図２】本発明の底部をシール密封して、上部の充填・排出用開口部にジッパーを貼着して、ジッパー付サイドガゼット袋に内容物を充填した状態の概略斜視図である。
【図３】本発明の図２におけるａ−ａ線での概略縦断面図である。
【発明を実施するための最良の形態】
【０００９】
正面シート、裏面シートからなる平袋の両側部に折り込み部分のあるガゼットシートを挿入して形成するサイドガゼット袋において、正面シート、裏面シートの両側部に折り込み挿入したガゼットシート部分を外して、正面シート、裏面シートに当シートを熱シールし、さらに該当シートの部分は厚さレベルが高くなった状態で正面シート、裏面シート、ガゼットシートにわたり、この当シート上を介してジッパーが熱シールされ、さらに正面シート、裏面シートとガゼットシートを各々周縁を熱シールしたジッパー付サイドガゼット袋である。
【実施例】
【００１０】
以下、本発明の実施例について、図面に基づいて説明する。
図１は、本発明のジッパー付サイドガゼット袋を示す正面シートと裏面シートの両側にガゼットシートを折り込んだ状態の概略斜視図、図２は底部を密封し、開口部にジッパーを貼着して内容物を充填した状態を示す概略斜視図、図３は要部の概略縦断面図である。
先ず、この発明の対象であるジッパー付サイドガゼット袋は、平袋の両側に折り込み部分のあるガゼット袋で、上端と下端の一方を熱シールすることにより、他方が充填・排出用開口部とし、この開口部から内容物を充填するものである。
【００１１】
さらに、図面に示す実施例に基づいて、詳細に説明する。
例えば、熱シール可能な合成樹脂シートを用い、正面シート１と裏面シート２を重ね合わせ、この正面シート１と裏面シート２間の両側部に二つ折りしたガゼットシート３、３を挟み込むように設ける。そして、先ず充填・排出用開口部４の部分に図１〜図３に示すように、両側部に設けた二つ折りしたガゼットシート３の幅部分を除いて、正面シート１と裏面シート２の内側部分に高さ調整用の当シート（以下、パッチという）５を熱シール等で貼着し、さらに充填・排出用開口部４の開閉用としてジッパー６を前記パッチ５を介して正面シート１、裏面シート２、両ガゼットシート３の各々に貼着する。
このように、パッチ５を介することで図３に示す通り、二つ折りしたガゼットシート３によりシート厚２枚分に相当する厚み分隙間が生じる。
これを吸収して略面一になるように、ガゼットシート３の厚さと同一の厚さを有するシートよりなるパッチ５を正面シート１、裏面シート２に貼着することで、ジッパー６を押し当てながら閉止状態にする際にも、正面シート１と裏面シート２のジッパー６の厚さレベルが高くなるので、略面一な状態で閉止することになり、段差が生じず、隙間が生じることがなく内容物の漏れも防止することができる。
【００１２】
さらに、パッチ５の厚さ分、ジッパー６がカーブするようにして貼着されるので、これをよりスムーズにジッパー６を貼着できるように、パッチ５の両端部に相当する位置にジッパー６の厚みの略中程まで切れ目を形成することで、馴染み易く貼着することができる。
いうまでもないが、ジッパー付サイドガゼット袋は、上端か下端のいずれか一方を熱シールして底部７を密封形成し、他方を充填・排出用開口部４とする。この充填・排出用開口部４の近傍にジッパーを熱シールし、内容物の充填後にジッパー６を閉じて、そのジッパー６の取り付けられているジッパー付サイドガゼット袋の上部を熱シール８することになる。
内容物を充填した本発明のジッパー付サイドガゼット袋から内容物を取り出す場合は、切断用スペース９の部分を切断して、上端縁の熱シール８部分を除去した後、ジッパー６を開けることでガゼット部を含めた広い開口度を持って充填・排出用開口部４から内容物を排出することができる。
また、詰め替えるためには、同様にガゼット部を含めて広く開放できる充填・排出用開口部４なので、詰め替え易くなるものである。
【産業上の利用可能性】
【００１３】
熱シール製合成樹脂フィルムからなるジッパー付サイドガゼット袋だけでなく、他の材料からなるジッパー付サイドガゼット袋にも利用することができる。
【符号の説明】
【００１４】
１・・・・正面シート
２・・・・裏面シート
３・・・・ガゼットシート
４・・・・充填・排出用開口部
５・・・・当シート（パッチ）
６・・・・ジッパー
７・・・・底部
８・・・・熱シール
９・・・・切断用スペース
【図１】
2012051596.tif 000003
【図２】
2012051596.tif 000004
【図３】
2012051596.tif 000005